(57)【要約】【課題】幼児や身体の自由が利かない人が、机の天板の外周の角に身体をぶつけてしまった時に、その衝撃を和らげ怪我から守ると共に、机上に置かれた器が倒れて液体が零れた場合、その液体を吸収し床や絨毯を汚さないよう保護できる天板外周保護カバーを提供する。【解決手段】天板の外周を保護するため、幅の広いゴム製の環状部材を外周に装着し、その周りを衝撃の吸収・吸水性のある素材で出来た長い布状の布状部材で覆い、両端を留め具ではさんで留めることにより机上で零れた液体を吸収できるようにすることを特徴とする。  又、衝撃の吸収・吸水性のある素材で出来た長い布状の布状部材は、汚れたときに容易に取り替えが出来、洗濯も可能なため清潔に使用できることも特徴とする。【選択図】図１
0003116427.tif 000002
【実用新案登録請求の範囲】
【請求項１】
天板の外周を覆うための幅の広いゴム製の環状部材であって、
前記部材の外周を衝撃の吸収・吸水性のある素材で出来た長い布状の布状部材で覆い、
前記衝撃の吸収・吸水性のある素材で出来た長い布状の布状部材の両端を留め具ではさんで留めるよう構成し、
汚れた前記衝撃の吸収・吸水性のある素材で出来た長い布状の布状部材だけを、取替え洗濯可能にしたことを特徴とする天板外周保護カバー。
【請求項２】
前記部材の幅の広いゴム製の環状部材には、前記衝撃の吸収・吸水性のある素材で出来た長い布状の布状部材と取り付けられるよう、取り付けベルトを有することを特徴とする請求項１記載の天板外周保護カバー。
【請求項３】
前記衝撃の吸収・吸水性のある素材で出来た長い布状の布状部材には、天板の外周と前記部材の幅の広いゴム製の環状の部材との間に挟める布部材を有することを特徴とする請求項１・２記載の天板外周保護カバー。
【請求項４】
前記留め具は取り外が自由に出来、その留め具は取替え可能な布状部材で覆い、色・形を自由に選択が出来ることを特徴とする請求項１・２・３記載の天板外周保護カバー。
【考案の詳細な説明】
【技術分野】
【０００１】本考案は、身体と物品との衝突を和らげるため保護できるようにした部材における、衝撃緩和部材の構成に関するものである。
【背景技術】
【０００２】従来の机の天板の外周縁部材を保護する被覆用部材としては、例えば公開特許公報公開番号特開２００３−１２９５８８で、弾力性のある軟性樹脂等からなる円筒状の保護カバーが提供されている。【０００３】また、コーナーのみの保護部材として、例えば公開実用新案公報公開番号実開平０７−０２８４４８では、細片状の紙材からなる主材と合成樹脂との結合材との混合物を使用したコーナーパットが提供されている。【０００４】さらに、従来の机の天板の外周縁部材を保護する被覆用部材は、はめ込み式や粘着式のものが提供されている。
【考案の開示】
【考案が解決しようとする課題】
【０００５】しかしながら、前記先行技術の前者のものでは、角のある机の天板のみの対応なので、色々な形状の机の天板に対応出来ないという問題があった。【０００６】他方、前記先行技術の後者ものでは、コーナーのみを保護するものであるから、天板の他の外周部分に身体をぶつけた時に保護できないという問題があった。【０００７】そして、粘着式やはめ込み式の構造になっているため、取り外しが容易に出来ないという問題点があった。【０００８】さらに、机に衝撃が加わった時に机上に置かれた器が倒れて液体が零れた場合、その液体が床や絨毯に零れ汚れてしまうという問題があった。【０００９】本考案は、前記従来の技術の問題点を解決し、取り外しが容易にでき、清潔に使用できる天板外周保護部材を提供することを目的とする。
【課題を解決するための手段】
【００１０】前記目的を達成するため、請求項１記載の考案は、天板の外周を覆うための幅の広いゴム製の環状部材であって、前記部材の外周を衝撃の吸収・吸水性のある素材で出来た長い布状の布状部材で覆い、前記衝撃の吸収・吸水性のある素材で出来た長い布状の布状部材の両端を留め具ではさんで留めるよう構成し、汚れた前記衝撃の吸収・吸水性のある素材で出来た長い布状の布状部材だけを、取替え洗濯可能にしたことを特徴とするものである。【００１１】請求項２記載の考案は、請求項１記載の幅の広いゴム製の環状部材において、請求項１記載の衝撃の吸収・吸水性のある素材で出来た長い布状の布状部材と取り付けられるよう、取り付けベルトを有しているものである。【００１２】そして請求項３記載の考案は、請求項１・２記載の部材が一体化するように請求項１記載の衝撃の吸収・吸水性のある素材で出来た長い布状の布状部材には、天板の外周と請求項１記載の幅の広いゴム製の環状部材の間に挟めるよう布部材を有し、天板との密着度を高め机上で零れた液体を吸収できるよう構成しているものである。【００１３】さらに請求項４記載の考案は、請求項１記載の留め具は取り外が自由に出来、その留め具は取替え可能な布状部材で覆い、色・形を自由に選択が出来るよう構成しているものである。
【考案の効果】
【００１４】以上に詳述したように、請求項１記載の考案は、天板の外周を覆うための幅の広いゴム製の環状部材であって、前記部材の外周を衝撃の吸収・吸水性のある素材で出来た長い布状の布状部材で覆い、前記衝撃の吸収・吸水性のある素材で出来た長い布状の布状部材の両端を留め具ではさんで留めるよう構成し、汚れた前記衝撃の吸収・吸水性のある素材で出来た長い布状の布状部材だけを、取替え洗濯可能にしたことを特徴とするものである。【００１５】この構成により、天板の形状が色々な形状である場合に、その天板の外周部に請求項１記載の幅の広いゴム製の環状部材が自由に変形し密着することができ、その外周を請求項１記載の衝撃の吸収・吸水性のある素材で出来た長い布状の布状部材で覆い、両端を留め具ではさんで留めるよう構成することにより、従来のコーナーのみだけの保護ではなく角のある机の外周や色々な形状の天板の外周の保護が可能になり、そして机上に置かれた器が倒れて液体が零れた場合は、その液体を吸収し床や絨毯が汚れるのを防ぎ、さらに取り外しに手間が要らず清潔に使用できるという効果を奏する。【００１６】請求項２の考案は、請求項１記載の天板の外周を覆うための幅の広いゴム製の環状部材に、請求項１記載の衝撃の吸収・吸水性のある素材で出来た長い布状の布状部材を取り付ける際に用いる取り付けベルトであるから、請求項１記載の考案による効果に加えて、請求項１記載の天板の外周を覆うための幅の広いゴム製の環状部材から請求項１記載の衝撃の吸収・吸水性のある素材で出来た長い布状の布状部材が外れず、強固に装着できるという効果を奏する。【００１７】そして、請求項３記載の考案は、請求項１・２記載の衝撃の吸収・吸水性のある素材で出来た長い布状の布状部材に、天板の外周と請求項１・２記載の天板の外周を覆うための幅の広いゴム製の環状部材との間に挟み込むための布部材であるから、請求項１・２記載の考案による効果に加えて、天板と請求項１・２記載の天板の外周を覆うための幅の広いゴム製の環状部材と請求項１・２記載の衝撃の吸収・吸水性のある素材で出来た棒状のものが密着し、さらに強固に装着できるという効果を奏する。【００１８】さらに請求項４記載の考案は、請求項１記載の留め具は取り外が自由に出来、その留め具は取替え可能な布状部材で覆う構成であるから、色・形を自由に選択できるという効果を奏する。
【考案を実施するための最良の形態】次に、本考案を具体化した実施形態について説明する。図１は机の天板の外周に本願考案の天板外周保護部材を装着した図、図２は各種部材の図、図３は装着手順の図である。【００１９】図３ａに示すように、まず天板の外周に図２ａのゴム製の環状部材を装着する。【００２０】次に図３ｂに示すように、図３ａを覆うように図２ｂを装着していく。その際、図２ａ▲２▼の取り付けベルトに通しながら装着する。【００２１】そして図３ｃに示すように、図２ｂ▲４▼を図３ａの天板に装着された図２ａと天板の外周の間に挟み込む。【００２２】最後に図３ｄに示すように、図３ｃに装着されている図２ｂ▲３▼の両端を図２ｃで留める。
【産業上の利用可能性】
【００２３】本考案は、家具の保護カバーに利用できる。
【図面の簡単な説明】
【００２４】
【図１】装着完成図
【図２】ａ．ゴム製の環状部材の図  ｂ．衝撃の吸収・吸水性のある素材で出来た長い布状の布状部材の図  ｃ．図２ｂの両端を留める留め具の側面図
【図３】ａ．天板の外周に図２ａを取り付けた図  ｂ．図３ａに図２ｂを取り付けた図  ｃ．図３ａに図２ｂを取り付け▲４▼を挟み込んだ図  ｄ．図３ｃに図２ｃを取り付けた図
【符号の説明】
【００２５】▲１▼  ゴム製の環状部材
▲２▼  取り付けベルト
▲３▼  衝撃の吸収・吸水性のある素材で出来た長い布状の布状部材
▲４▼  天板の外周と▲１▼のゴム製の環状の部材との間に挟める布部材
▲５▼  長い布状の布状部材の両端を留める留め具
▲６▼  ▲５▼の留め具を覆う布状部材
【図１】
0003116427.tif 000003
【図２】
0003116427.tif 000004
【図３】
0003116427.tif 000005